(57)【要約】【課題】サブコントローラのように必要以上に高い機能からなる部材を用いる必要がなく、かつ搬送機構５で発生した不具合の原因を容易に特定することができる。【解決手段】本発明の遊技設備は、複数の遊技台Ｐを備え、それらの遊技台Ｐを横方向に並べて構成される遊技島９５の形態を有している。遊技設備は、各遊技台Ｐに隣接して設けられ、紙幣の投入に応じて遊技媒体の貸し出しに関する処理を行う複数の台間機（遊技媒体貸出処理装置）１０と、各台間機１０に投入された紙幣を取り込んで、前記遊技島９５の端部へ横方向に搬送する搬送機構５と、この搬送機構５を駆動する駆動モータ（搬送駆動手段）Ｍとを有した紙幣搬送装置１５と、を備えている。各台間機１０は、紙幣搬送装置１５の駆動モータＭに電気的に接続されて当該駆動モータＭを制御する搬送制御部５０を有している。【選択図】図３
2008206799.tif 000002
【特許請求の範囲】
【請求項１】
複数の遊技台を備え、それらの遊技台を横方向に並べて構成される遊技島の形態を有した遊技設備において、
各遊技台に隣接して設けられ、紙幣の投入に応じて遊技媒体の貸し出しに関する処理を行う複数の遊技媒体貸出処理装置と、
各遊技媒体貸出処理装置に投入された紙幣を取り込んで、遊技島の端部へ横方向に搬送する搬送機構と、この搬送機構を駆動する搬送駆動手段とを有した紙幣搬送装置と、
を備え、
各遊技媒体貸出処理装置は、紙幣搬送装置の搬送駆動手段に電気的に接続されて当該搬送駆動手段を制御する搬送制御部を有することを特徴とする遊技設備。
【請求項２】
紙幣搬送装置に設けられ、紙幣が紙幣搬送装置内を正常に通過した際に、搬送制御部に通過信号を通知する通過検知手段をさらに備え、
搬送制御部は、遊技媒体貸出処理装置に紙幣が投入されてから所定時間が経過しても通過検知手段から通過信号を受け取らなかった場合に、搬送機構内で不具合が発生したと判断することを特徴とする請求項１記載の遊技設備。
【請求項３】
前記遊技媒体貸出処理装置は、前記搬送機構内で発生した不具合に関する情報を外部へ出力する機能を有することを特徴とする請求項２記載の遊技設備。
【請求項４】
遊技媒体貸出処理装置の搬送制御部に接続され、搬送制御部によって搬送機構内で不具合が発生したと判断された場合に、当該不具合に関する情報を出力する管理装置をさらに備えたことを特徴とする請求項３記載の遊技設備。
【請求項５】
遊技島の端部に設けられ、紙幣搬送装置によって搬送された紙幣を収容する島端紙幣収納庫をさらに備え、
管理装置は、前記島端紙幣収納庫に設置されていることを特徴とする請求項４記載の遊技設備。
【請求項６】
遊技媒体貸出処理装置は、紙幣搬送装置の搬送駆動手段に電力を供給する電力供給手段を有することを特徴とする請求項１記載の遊技設備。
【請求項７】
少なくとも１つの請求項２記載の遊技設備と、
遊技設備を管理する管理コンピュータと、
を備え、
管理コンピュータは、遊技媒体貸出処理装置の搬送制御部と直接もしくは間接的に通信可能に接続され、搬送制御部によって搬送機構内で不具合が発生したと判断された場合に、当該不具合に関する情報を出力するように構成されていることを特徴とする遊技場システム。
【請求項８】
複数の遊技台を備え、それらの遊技台を横方向に並べて構成される遊技島の形態を有した遊技設備内で、遊技台に隣接して設けられ、紙幣の投入に応じて遊技媒体の貸し出しに関する処理を行う遊技媒体貸出処理装置において、
各遊技媒体貸出処理装置に投入された紙幣を取り込んで前記遊技島の端部へ横方向に搬送する搬送機構とこの搬送機構を駆動する搬送駆動手段とを有する紙幣搬送装置に連結されるとともに、当該搬送駆動手段に電気的に接続されてこの搬送駆動手段を制御する搬送制御部を備えたことを特徴とする遊技媒体貸出処理装置。
【請求項９】
複数の遊技台を備え、それらの遊技台を横方向に並べて構成される遊技島の形態を有した遊技設備内に配置されるとともに、遊技台に隣接して設けられて紙幣の投入に応じて遊技媒体の貸し出しに関する処理を行う遊技媒体貸出処理装置に連結された紙幣搬送装置において、
各遊技媒体貸出処理装置に投入された紙幣を取り込んで、前記遊技島の端部へ横方向に搬送する搬送機構と、
この搬送機構を駆動する搬送駆動手段と、
を備え、
前記搬送駆動手段は、遊技媒体貸出処理装置に含まれた搬送制御部に電気的に接続され、当該搬送制御部によって制御されることを特徴とする紙幣搬送装置。
【発明の詳細な説明】
【技術分野】
【０００１】
本発明は、主にパチンコ店等の遊技島内部で紙幣を搬送する遊技設備、遊技場システム、遊技媒体貸出処理装置、および紙幣搬送装置に関する。
【背景技術】
【０００２】
図７および図８に示すように、従来の遊技設備は、各遊技台（図示せず）に隣接して設けられ、紙幣の投入に応じて遊技媒体の貸し出しに関する処理を行う複数の台間機（遊技媒体貸出処理装置）１０ａと、各台間機１０ａに投入された紙幣を取り込んで、前記遊技島の端部へ横方向に搬送する搬送機構５と、この搬送機構５を駆動する駆動モータ（搬送駆動手段）Ｍ（図８参照）とを有した紙幣搬送装置１５と、を備えている。また、図７に示すように、遊技島の端部には、紙幣搬送装置１５によって搬送された紙幣を収容する島端ボックス（島端紙幣収納庫）６０が設けられている。
【０００３】
また、図７および図８に示すように、搬送機構５は、台間機１０ａに連結され、台間機１０ａから受け入れられた紙幣を取り込む取込ユニット２と、取込ユニット２に連結され、取込ユニット２によって取り込まれた紙幣を搬送する搬送ユニット１とを有している。
【０００４】
また、図８に示すように、駆動モータＭには、駆動モータＭを制御し、台間機１０ａから取込ユニット２へ紙幣を送り出すタイミングを調整するサブコントローラ７５が接続されている。また、図８に示すように、このサブコントローラ７５には、搬送ユニット１に設けられ、紙幣がこの搬送ユニット１内を正常に通過した際に、サブコントローラ７５に通過信号を通知する通過検知手段Ｓが接続されている。そして、このサブコントローラ７５は、島端ボックス６０に接続されており、搬送機構５における紙幣搬送に関する情報を送信している。
【０００５】
また、図８に示すように、台間機１０ａは、紙幣が挿入される挿入部８１ａと、挿入された紙幣を搬送する紙幣搬送部８１ｂと、搬送される紙幣が、取り扱い対象でかつ正規のものであるかを識別する紙幣識別部（ＢＶ）８３と、これらを制御する制御部８０とを有している。
【０００６】
また、図８に示すように、台間機１０ａは、カードリーダ８２、表示部８４、リモコン受光部８５、台インターフェース部（台Ｉ／Ｆ部）８６、電源部８７、外部出力部８８および搬送インターフェース部（搬送Ｉ／Ｆ部）８９も有し、これらもまた制御部８０によって制御される。
【０００７】
また、図９に示すように、島端ボックス６０と各取込ユニット２とは電気的に直列に接続されており、各駆動モータＭには、各取込ユニット２を介して島端ボックス６０から電力（例えば、１００Ｖの交流）が供給されている。
【０００８】
ところで、図８は、従来の遊技設備の台間機１０ａの構成を示すブロック図であり、各部材（例えば、搬送ユニット１、取込ユニット２、駆動モータＭ、通過検知手段Ｓなど）の配置については、概略が示されている。
【発明の開示】
【発明が解決しようとする課題】
【０００９】
図７および図８に示すように、上述したサブコントローラ７５は、設置性や対ノイズ性から、４台の台間機１０ａ、２つの駆動モータＭに対して１台設けられ、台間機１０ａおよび駆動モータＭを制御している。この結果、サブコントローラ７５は、必要以上に高い機能（ＣＰＵ能力）を持った状態になっている。
【００１０】
また、図８において、制御部８０は、紙幣識別部８３からの情報に基づいて、紙幣が挿入部８１ａに挿入された時間を記録するとともに、紙幣が挿入部８１ａに挿入された旨の信号をサブコントローラ７５に通知する。そして、制御部８０からの信号を受けてから所定の時間が経過しても、紙幣が通過検知手段Ｓを通過しない場合には、サブコントローラ７５が、紙幣が搬送ユニット１内を正常に通過していないと判断するとともに、その時間を記録する。
【００１１】
しかしながら、このサブコントローラ７５が基準としている時間軸と、紙幣の挿入された時間を記録する制御部８０が基準としている時間軸とがずれていることがあるため、タイムラグが発生し、搬送機構５で発生した紙詰まりなどの不具合の原因を特定することが困難になることがある。
【００１２】
本発明は、このような点を考慮してなされたものであり、サブコントローラのように必要以上に高い機能からなる部材を用いる必要がなく、かつ搬送機構で発生した不具合の原因を容易かつ迅速に特定することができる遊技設備、遊技媒体貸出処理装置、および紙幣搬送装置を提供することができる。
【課題を解決するための手段】
【００１３】
第１の発明は、複数の遊技台を備え、それらの遊技台を横方向に並べて構成される遊技島の形態を有した遊技設備において、各遊技台に隣接して設けられ、紙幣の投入に応じて遊技媒体の貸し出しに関する処理を行う複数の遊技媒体貸出処理装置と、各遊技媒体貸出処理装置に投入された紙幣を取り込んで、遊技島の端部へ横方向に搬送する搬送機構と、この搬送機構を駆動する搬送駆動手段とを有した紙幣搬送装置と、を備え、各遊技媒体貸出処理装置は、紙幣搬送装置の搬送駆動手段に電気的に接続されて当該搬送駆動手段を制御する搬送制御部を有することを特徴とする遊技設備である。
【００１４】
この第１の発明によれば、遊技媒体貸出処理装置に設けられた搬送制御部によって、対応する取込ユニットの搬送駆動手段を直接制御することができる。このため、サブコントローラのように必要以上に高い機能からなる部材を用いる必要がなくなる。
【００１５】
第２の発明は、第１の発明において、紙幣搬送装置に設けられ、紙幣が紙幣搬送装置内を正常に通過した際に、搬送制御部に通過信号を通知する通過検知手段をさらに備え、搬送制御部が、遊技媒体貸出処理装置に紙幣が投入されてから所定時間が経過しても通過検知手段から通過信号を受け取らなかった場合に、搬送機構内で不具合が発生したと判断することを特徴とする遊技設備である。
【００１６】
この第２の発明によれば、紙幣が遊技媒体貸出処理装置に挿入された時間と、搬送制御部によって搬送機構内で不具合が発生したと判断された時間とが、同じ時間軸を基準として判断される。このため、従来のようにタイムラグが発生することがなく、搬送機構で発生した不具合の原因を容易かつ迅速に特定することができる。
【００１７】
第３の発明は、第２の発明において、前記遊技媒体貸出処理装置が、前記搬送機構内で発生した不具合に関する情報を外部へ出力する機能を有することを特徴とする遊技設備である。
【００１８】
この第３の発明によれば、搬送機構のうち不具合の発生した箇所に対応する遊技媒体貸出処理装置によって、当該不具合に関する情報を出力することができる。このため、搬送機構のうち不具合が発生した箇所を確実に特定することができる。
【００１９】
第４の発明は、第３の発明において、遊技媒体貸出処理装置の搬送制御部に接続され、搬送制御部によって搬送機構内で不具合が発生したと判断された場合に、当該不具合に関する情報を出力する管理装置をさらに備えたことを特徴とする遊技設備である。
【００２０】
この第４の発明によれば、管理装置によって、搬送制御部により判断された搬送機構内における不具合に関する情報を出力することができる。このため、作業者は、搬送機構のうち、不具合が発生した箇所をより容易かつ迅速に特定することができる。
【００２１】
第５の発明は、第４の発明において、遊技島の端部に設けられ、紙幣搬送装置によって搬送された紙幣を収容する島端紙幣収納庫をさらに備え、管理装置が、前記島端紙幣収納庫に設置されていることを特徴とする遊技設備である。
【００２２】
第６の発明は、第１の発明において、遊技媒体貸出処理装置が、紙幣搬送装置の搬送駆動手段に電力を供給する電力供給手段を有することを特徴とする遊技設備である。
【００２３】
この第６の発明によれば、遊技媒体貸出処理装置から直接、紙幣搬送装置の搬送駆動手段に電力を供給することができる。このため、島端ボックスと各取込ユニットとが直列に接続され、島端ボックスから各搬送駆動手段に、各取込ユニットを介して電力が供給される場合のように、搬送駆動手段に供給される電圧が降下することはなく、安定した電力を供給することができる。
【００２４】
第７の発明は、少なくとも１つの第２の発明による遊技設備と、遊技設備を管理する管理コンピュータと、を備え、管理コンピュータが、遊技媒体貸出処理装置の搬送制御部と直接もしくは間接的に通信可能に接続され、搬送制御部によって搬送機構内で不具合が発生したと判断された場合に、当該不具合に関する情報を出力するように構成されていることを特徴とする遊技場システムである。
【００２５】
第８の発明は、複数の遊技台を備え、それらの遊技台を横方向に並べて構成される遊技島の形態を有した遊技設備内で、遊技台に隣接して設けられ、紙幣の投入に応じて遊技媒体の貸し出しに関する処理を行う遊技媒体貸出処理装置において、各遊技媒体貸出処理装置に投入された紙幣を取り込んで前記遊技島の端部へ横方向に搬送する搬送機構とこの搬送機構を駆動する搬送駆動手段とを有する紙幣搬送装置に連結されるとともに、当該搬送駆動手段に電気的に接続されてこの搬送駆動手段を制御する搬送制御部を備えたことを特徴とする遊技媒体貸出処理装置である。
【００２６】
この第８の発明によれば、遊技媒体貸出処理装置に設けられた搬送制御部によって、対応する紙幣搬送装置の搬送駆動手段を直接制御することができる。このため、サブコントローラのように必要以上に高い機能からなる部材を用いる必要がなくなる。
【００２７】
第９の発明は、複数の遊技台を備え、それらの遊技台を横方向に並べて構成される遊技島の形態を有した遊技設備内に配置されるとともに、遊技台に隣接して設けられて紙幣の投入に応じて遊技媒体の貸し出しに関する処理を行う遊技媒体貸出処理装置に連結された紙幣搬送装置において、各遊技媒体貸出処理装置に投入された紙幣を取り込んで、前記遊技島の端部へ横方向に搬送する搬送機構と、この搬送機構を駆動する搬送駆動手段と、を備え、前記搬送駆動手段は、遊技媒体貸出処理装置に含まれた搬送制御部に電気的に接続され、当該搬送制御部によって制御されることを特徴とする紙幣搬送装置である。
【００２８】
この第９の発明によれば、紙幣搬送装置の搬送駆動手段を、対応する遊技媒体貸出処理装置に設けられた搬送制御部によって直接制御することができる。このため、サブコントローラのように必要以上に高い機能からなる部材を用いる必要がなくなる。
【発明の効果】
【００２９】
本発明によれば、紙幣搬送装置の搬送駆動手段に電気的に接続され、当該搬送駆動手段を制御する搬送制御部を有する遊技媒体貸出処理装置や、このような遊技媒体貸出処理装置によって制御される搬送駆動手段を有する紙幣搬送装置を用いることによって、サブコントローラのように必要以上に高い機能からなる部材を用いる必要をなくすことができる。また、搬送機構で発生した不具合の原因を容易かつ迅速に特定することができる。
【発明を実施するための最良の形態】
【００３０】
第１の実施の形態
以下、本発明に係る遊技媒体貸出処理装置および紙幣搬送装置を備えた遊技設備、並びに遊技場システムの第１の実施の形態について、図面を参照して説明する。ここで、図１乃至図５は本発明の第１の実施の形態を示す図である。
【００３１】
図１に示すように、本実施の形態の遊技設備は、複数の遊技台（パチンコ台など）Ｐを備え、それらの遊技台Ｐを横方向に並べて構成される遊技島９５の形態を有している。図１は、本実施の形態による遊技設備を模式的に示す水平断面図である。図１において、矢印で示されているように、紙幣は、遊技島９５の延長方向に沿った略直線方向に搬送される。このとき、紙幣は、長手方向が搬送方向を向き、短手方向が略垂直方向を向いた姿勢で搬送される。
【００３２】
図１乃至図３に示すように、遊技設備は、各遊技台Ｐに隣接して設けられ、紙幣の投入に応じて遊技媒体の貸し出しに関する処理を行う複数の台間機（遊技媒体貸出処理装置）１０と、各台間機１０に投入された紙幣を取り込んで、前記遊技島９５の端部へ横方向に搬送する搬送機構５と、この搬送機構５を駆動する駆動モータ（搬送駆動手段）Ｍ（図３参照）とを有した紙幣搬送装置１５と、を備えている。また、図２に示すように、遊技島９５の端部には、紙幣搬送装置１５によって搬送された紙幣を収容する島端ボックス（島端紙幣収納庫）６０が設けられている。なお、図３において、紙面に向かって右側が、紙幣搬送方向における上流側となっている。
【００３３】
ところで、遊技媒体貸出処理装置としての台間機１０とは、紙幣の投入に応じて遊技媒体（例えば、パチンコ玉）を貸し出す処理（例えば、遊技台Ｐでの貸し玉の投出）を行うものである。また、台間機１０は、いわゆる、紙幣・硬貨・カード併用式、紙幣・硬貨併用式、紙幣・カード併用式、または紙幣専用のいずれであってもよい。さらに、台間機１０は、紙幣やカードなどを受け入れて貸出に関する処理を行って、遊技台Ｐから遊技媒体を投出させるものに限らず、台間機１０自体が遊技媒体を投出させる投出機構を有していてもよい。
【００３４】
また、島端ボックス６０は、紙幣収容専用のいわゆる紙幣金庫の他、台間機１０から回収した紙幣を両替に利用するリサイクル式両替機として構成されてもよい。
【００３５】
このうち、搬送機構５は、図１乃至図３に示すように、台間機１０に連結され、台間機１０から受け入れられた紙幣を取り込む取込ユニット２と、取込ユニット２に連結され、取込ユニット２によって取り込まれた紙幣を搬送する搬送ユニット１とを有している。ここで、取込ユニット２と搬送ユニット１とは、交互に配置されている。
【００３６】
また、図１に示すように、紙幣搬送装置１５を挟んで向かい合う一対の台間機１０同士は、遊技島９５の延長方向(紙幣の搬送方向)で位置をずらして左右非対称で配置されている。また、取込ユニット２も、このような台間機１０の配置に対応した構造を有している。
【００３７】
また、図３および図４に示すように、台間機１０は、紙幣搬送装置１５の駆動モータＭに電気的に接続されて、当該駆動モータＭを制御する搬送制御部５０を有している。なお、本実施の形態では、各取込ユニット２に配置された駆動モータＭによって、取込ユニット２と、当該取込ユニット２の下流側に連結された搬送ユニット１の両者にわたる搬送機構５が駆動され、紙幣が搬送される構成になっている。
【００３８】
また、図３および図４に示すように、搬送機構５の搬送ユニット１には、搬送ユニット１内を紙幣が正常に通過した際に、搬送制御部５０に通過信号を通知する通過検知手段Ｓが設けられている。
【００３９】
ここで、図３は、本実施の形態による遊技設備の形態を示す概略図である。また、図４は、本実施の形態による遊技設備の台間機１０の構成を示すブロック図であり、各部材（例えば、搬送ユニット１、取込ユニット２、駆動モータＭ、通過検知手段Ｓなど）の配置については、概略が示されている。
【００４０】
また、図４に示すように、台間機１０は、紙幣が挿入され、当該紙幣を台間機１０内に取り込む挿入部８１ａと、挿入された紙幣を搬送する紙幣搬送部８１ｂと、搬送される紙幣が、取り扱い対象でかつ正規のものであるかを識別する紙幣識別部（ＢＶ）８３とを有している。また、搬送制御部５０は、台間機１０の挿入部８１ａに紙幣が投入されてから所定時間が経過しても通過検知手段Ｓから通過信号を受け取らなかった場合に、搬送機構５内で紙幣詰まりなどの不具合が発生したと判断する。なお、図４に示す紙幣の挿入部８１ａは、台間機１０の本体とは別の場所に設けられていてもよい。
【００４１】
また、搬送制御部５０は、図３および図４に示すように、台間機１０の制御部８０内に設置されている。また、この制御部８０にはシリアル回線５１ａを介して管理装置６１が接続されている。そして、この管理装置６１は、搬送制御部５０によって搬送機構５内で不具合が発生したと判断された場合に、当該不具合に関する情報を、後述する島端ボックス６０の状態表示ランプ６４やエラー箇所表示部６３によって表示したり（図５参照）、上位機器に通知したりするなどして、出力することができる。なお、図３に示すように、管理装置６１は島端ボックス６０内に設置されている。
【００４２】
なお、図３および図４において、台間機１０の搬送制御部５０は、搬送機構５内で発生した不具合に関する情報（搬送機構５のうち不具合の発生した箇所に対応する台間機１０の番号など、不具合が発生した位置を示す情報）を管理装置６１に送信（出力）することができる。
【００４３】
また、図４に示すように、台間機１０は、カードリーダ８２、表示部８４、リモコン受光部８５、台インターフェース部（台Ｉ／Ｆ部）８６、電源部８７および外部出力部８８も有しており、これらの各々は、制御部８０に接続されている。
【００４４】
また、図３に示すように、島端ボックス６０に設置された管理装置６１には、シリアル通信可能なシリアル回線５１ｂを介してサーバー（ターミナルコントローラ）６５が接続されている。このサーバー６５は、管理装置６１から送信されたデータを処理する端末データ処理部６６を有している。
【００４５】
このサーバー６５は、遊技設備を管理する管理コンピュータとしての機能を有し、遊技設備とともに、パチンコ店などの遊技場を運営するための遊技場システムを構成している。このサーバー６５は、一般的に、遊技場における係員事務所などに設置される。
【００４６】
また、サーバー６５には、シリアル通信可能なシリアル回線５１ｃを介して、遊技場外の管理センター９０などに設置されたセンター管理装置７０が接続されている。このセンター管理装置７０は、台間機１０の搬送制御部５０から送信された、搬送機構５内で発生した不具合に関するログを収集するエラーログ収集部７１を有している。
【００４７】
また、図５に示すように、島端ボックス６０は、搬送機構５内で不具合が発生した場合に、その旨を表示する状態表示ランプ６４と、搬送機構５のうち不具合が発生した箇所を表示するエラー箇所表示部６３とを有している。
【００４８】
なお、上記では、管理装置６１が島端ボックス６０に設置された態様を用いて説明したが、本発明はこれに限定されない。例えば、遊技設備を管理する管理コンピュータ（例えば、係員事務所などに配置されたホールコンピュータ（図示せず）やサーバー（ターミナルコントローラ）６５など）が管理装置６１としての機能を有していてもよい。
【００４９】
次に、このような構成からなる本実施の形態の作用について述べる。
【００５０】
まず、紙幣が、台間機１０の挿入部８１ａから挿入されると、紙幣搬送部８１ｂによって台間機１０内に取り込まれる（図４参照）。このとき、紙幣識別部８３によって、挿入部８１ａから挿入された紙幣が、取り扱い対象でかつ正規のものであるかが識別される（図４参照）。
【００５１】
そして、紙幣識別部８３によって、挿入部８１ａから挿入された紙幣が取り扱い対象でかつ正規のものであると判断されると、搬送制御部５０により、紙幣搬送部８１ｂと紙幣搬送装置１５の駆動モータＭが駆動され、紙幣が、台間機１０から搬送機構５の取込ユニット２内に取り込まれる。
【００５２】
他方、紙幣識別部８３によって、挿入部８１ａから挿入された紙幣が取り扱い対象でない、または正規のものでないなどと判断されると、搬送制御部５０により紙幣搬送部８１ｂが通常時と逆方向に駆動され、挿入された紙幣が挿入部８１ａから返却される。
【００５３】
上述のように、紙幣が台間機１０から搬送機構５の取込ユニット２内に取り込まれると、紙幣が挿入部８１ａに挿入された旨の信号が、紙幣識別部８３から制御部８０へ通知される。そして、この制御部８０によって、紙幣が挿入部８１ａに挿入された旨の信号が搬送制御部５０に通知され、この搬送制御部５０によって、紙幣が挿入部８１ａに挿入された時間が記録される。
【００５４】
次に、取込ユニット２によって取り込まれた紙幣が、取込ユニット２に連結された搬送ユニット１に向かって搬送される（図１参照）。このとき、取込ユニット２の駆動モータＭに電気的に接続された台間機１０の搬送制御部５０によって、駆動モータＭが制御される（図３および図４参照）。すなわち、搬送制御部５０によって、紙幣の取り込まれた取込ユニット２の紙幣搬送方向における上流側（図３参照）に設置された通過検知手段Ｓからの情報に基づいて、駆動モータＭが制御され、台間機１０から取込ユニット２へと紙幣を送り出すタイミングが調整される。
【００５５】
次に、搬送ユニット１（および取込ユニット２）によって、取込ユニット２から取り込まれた紙幣が島端ボックス６０に向かって搬送される（図１参照）。このとき、紙幣が搬送機構５内を正常に通過すると、通過検知手段Ｓによって、搬送制御部５０に通過信号が通知される。
【００５６】
そして、紙幣が正常に搬送機構５内を搬送されると、当該紙幣は、島端ボックス６０内に収容される。
【００５７】
他方、搬送制御部５０が、台間機１０の挿入部８１ａに紙幣が投入されてから所定時間が経過しても通過検知手段Ｓから通過信号を受け取らなかった場合には、この搬送制御部５０によって、搬送機構５内で不具合（紙幣詰まりなど）が発生したと判断される（図３および図４参照）。
【００５８】
そして、この搬送制御部５０によって、搬送機構５内で不具合が発生したと判断された時間が記録されるとともに、搬送機構５内で不具合が発生した旨の信号（搬送機構５のうち不具合の発生した箇所に対応する台間機１０の番号など、不具合が発生した位置を示す情報を含む）が管理装置６１に送信（出力）される（図３および図４参照）。このように、搬送機構５のうち不具合の発生した箇所に対応する台間機１０の搬送制御部５０によって、当該不具合に関する情報を出力することができるので、搬送機構５のうち不具合が発生した箇所を確実に特定することができる。
【００５９】
その後、当該信号に基づいて、管理装置６１が、状態表示部６４を点滅させるとともに、エラー箇所表示部６３に、搬送機構５のうち不具合の発生した箇所を表示させる（図５参照）。
【００６０】
ここで、紙幣が挿入部８１ａに挿入された時間と、搬送制御部５０によって搬送機構５内で不具合が発生したと判断された時間とは、同じ搬送制御部５０に記録され、同じ時間軸を基準として判断される。このため、従来のようにタイムラグが発生することがないため、搬送機構５で発生した不具合の原因を容易かつ迅速に特定することができる。
【００６１】
また、管理装置６１によって、島端ボックス６０のエラー箇所表示部６３に、搬送機構５のうち不具合が発生した箇所を表示させることができる。このため、作業者は、搬送機構５のうち、不具合が発生した箇所を容易かつ迅速に特定することができ、速やかな異常解消処理を実行できる。
【００６２】
また、本実施の形態によれば、台間機１０自身が、紙幣搬送装置１５の駆動モータＭに電気的に接続されるとともに、当該駆動モータＭを制御する搬送制御部５０を有している。このため、台間機１０に設けられた搬送制御部５０によって、対応する取込ユニット２の駆動モータＭを直接制御することができる。この結果、サブコントローラ７５のように必要以上に高い機能からなる部材（図７および図８参照）を用いることなく、紙幣搬送装置１５の駆動モータＭを制御することができる。
【００６３】
なお、本実施の形態によれば、図３に示すように、台間機１０の搬送制御部５０は、管理センター９０などに設けられたセンター管理装置７０に接続されている。このため、紙幣搬送装置１５における紙幣の搬送方法などに関する新しいプログラムを台間機１０の搬送制御部５０にインストールするときには、管理センター９０などのセンター管理装置７０から直接、新しいプログラムをインストールすることができる。
【００６４】
ところで、上記では、遊技場システムが、一つの遊技設備（遊技島９５）と、この遊技設備を管理する管理コンピュータとから構成されている態様を用いて説明したが、これに限ることなく、複数の遊技設備と、これらの遊技設備を管理する少なくとも１つの管理コンピュータとから遊技場システムを構成してもよい。
【００６５】
また、上記では、駆動モータＭは取込ユニット２に設けられているが、これに限ることなく、駆動モータＭを、取込ユニット２に代えて、あるいは取込ユニット２に加えてさらに、搬送ユニット１に設けてもよい。
【００６６】
第２の実施の形態
次に図６により本発明の第２の実施の形態について説明する。図６に示す第２の実施の形態は、取込ユニット２に電力を供給する電力供給手段２０をさらに有する台間機１０を用いたものであり、他は図１乃至図５に示す第１の実施の形態と略同一である。
【００６７】
図６に示す第２の実施の形態において、図１乃至図５に示す第１の実施の形態と同一部分には同一符号を付して詳細な説明は省略する。
【００６８】
図９に示すように、従来の遊技設備では、島端ボックス６０と各取込ユニット２とは電気的に直列に接続されている。そして、各駆動モータＭには、各取込ユニット２を介して島端ボックス６０から電力（例えば、１００Ｖの交流）が供給されている。このため、接続される搬送機構５（搬送ユニット１および取込ユニット２）の台数が多くなると、島端ボックス６０から駆動モータＭに供給される電圧が降下し、駆動モータＭに安定した電力を供給することができない場合がある。
【００６９】
これに対して、本発明によれば、図６に示すように、台間機１０が、駆動モータＭに電力を供給する電力供給手段２０を有している。このため、台間機１０から直接、各駆動モータＭに電力を供給することができるので、従来の遊技設備のように、駆動モータＭに供給される電圧が降下してしまうことがない。このため、各駆動モータＭは、安定した電力供給を受けることができる。なお、各台間機１０に対しては、遊技島９５内に配置された電源（コンセントなど）から安定した電力が供給されている。
【図面の簡単な説明】
【００７０】
【図１】本発明の第１の実施の形態による遊技設備を、遊技島内部に設置された状態で模式的に示す水平断面図。
【図２】本発明の第１の実施の形態による遊技設備を示す斜視図。
【図３】本発明の第１の実施の形態による遊技設備の形態を示す概略図。
【図４】本発明の第１の実施の形態による遊技設備の遊技媒体貸出処理装置の構成を示すブロック図。
【図５】本発明の第１の実施の形態による遊技設備の島端ボックスを示す斜視図。
【図６】本発明の第２の実施の形態による遊技設備を示すブロック図。
【図７】従来の遊技設備を示す斜視図。
【図８】従来の遊技設備の遊技媒体貸出処理装置の構成を示すブロック図。
【図９】従来の遊技設備を示すブロック図。
【符号の説明】
【００７１】
１      搬送ユニット
２      取込ユニット
５      搬送機構
１０    台間機（遊技媒体貸出処理装置）
１０ａ    従来の台間機（遊技媒体貸出処理装置）
１５    紙幣搬送装置
２０    電力供給手段
５０    搬送制御部
５１ａ，５１ｂ，５１ｃ  シリアル回線
６０    島端ボックス（島端紙幣収納庫）
６１    管理装置
６３    エラー箇所表示部
６４    状態表示ランプ
６５    サーバー（ターミナルコントローラ）
６６    端末データ処理部
７０    センター管理装置
７１    エラーログ収集部
７５    サブコントローラ
８０    制御部
８１ａ  挿入部
８１ｂ  紙幣搬送部
８２    カードリーダ
８４    表示部
８５    リモコン受光部
８６    台インターフェース部（台Ｉ／Ｆ部）
８７    電源部
８８    外部出力部
８９    搬送インターフェース部（搬送Ｉ／Ｆ部）
９０    管理センター
９５    遊技島
Ｍ      駆動モータ（搬送駆動手段）
Ｓ      通過検知手段
Ｐ      パチンコ台
【図１】
2008206799.tif 000003
【図２】
2008206799.tif 000004
【図３】
2008206799.tif 000005
【図４】
2008206799.tif 000006
【図５】
2008206799.tif 000007
【図６】
2008206799.tif 000008
【図７】
2008206799.tif 000009
【図８】
2008206799.tif 000010
【図９】
2008206799.tif 000011